(57)【要約】【課題】  本願は、雨水の浸入を防ぎ、かつパネル状建材上面と化粧カバー部の上面とをフラットに連続する意匠性を実現することを目的とする。さらに、施工が容易であり、コストを低く抑えたパネル状建材の端縁化粧構造を提供することを目的とする。【解決手段】  本願のパネル状建材の端縁化粧構造は、カバー固定部材とカバー部材とで構成されている。カバー固定部材は、固定部と、複数の当接受け部を有する。カバー部材は、化粧カバー部と、複数の当接部を有する。カバー固定部材とカバー部材とは、所定の当接受け部と当接部とが当接されて組み合わされた第１の状態と、第１の状態とは異なる当接受け部と当接部とが当接されて組み合わされた第２の状態にすることが可能である。【選択図】図３
2013199788.tif 000002
【特許請求の範囲】
【請求項１】
パネル状建材の端縁化粧構造であって、
カバー固定部材とカバー部材とで構成され、
カバー固定部材は、
固定部と、
複数の当接受け部を有し、
カバー部材は、
化粧カバー部と、
複数の当接部を有し、
カバー固定部材とカバー部材とは、
所定の当接受け部と当接部とが当接されて組み合わされた第１の状態と、
前記第１の状態とは異なる当接受け部と当接部とが当接されて組み合わされた第２の状態にすることが可能であるパネル状建材の端縁化粧構造。
【請求項２】
化粧カバー部に端縁カバー部が形成され、
パネル状建材の端縁にカバー固定部材とカバー部材とが組み合わされたときに、
前記端縁カバー部がパネル状建材の端縁にかぶせられている
請求項１のパネル状建材の端縁化粧構造。
【発明の詳細な説明】
【技術分野】
【０００１】
本願は、パネル状建材の端縁化粧構造に関するものである。
【背景技術】
【０００２】
従来技術について、図５から図１１までで説明する。図５から図７まではパネル状建材に関する技術、図８から図１０まで、及び図１１は端縁化粧構造のひとつであるけらば構造に関する技術である。
【０００３】
図５から図７までは、特許第４８４０５３９号公報にて公開されているパネル状建材の一例であり、本出願人が提案した技術である。図５はその図２Ｂ、図６はその図１Ａ、図７はその図６である。この図５から図７までに示した屋根材付き太陽光発電パネルは、図５に示す太陽光発電パネル１と図６に示す屋根材２とが、一体化されたものである。この技術において、太陽光発電パネル１は、モジュール本体とその四方に取り付けられた枠体とから成っている。また、この技術において、屋根材２は、山部２１と谷部２２とを有している。
【０００４】
図８から図１０までは、特公平７−１１６８１０号公報にて公開されている技術である。図８はその第１図、図９はその第３図、図１０はその第６図である。この技術は、特公平７−１１６８１０号公報において「水平本体の下面一側端と下面中央にそれぞれ水切片を垂下し、前記水平本体の他端側に上下方向の起立垂直壁を設け、該起立垂直壁の下端から外方に張り出す取付片を設けたことを特徴とする波形板用外覆材」と記載されており、波形板の側部上面を覆い、波形板と接続部材との間隙を塞ぐ波形板用外覆材に関するものである。
【０００５】
図１１は、特開平１０−３１７６１９号公報にて公開されている技術であって、その図１０として記載されているものである。この技術は、特開平１０−３１７６１９号公報において「太陽電池モジュール等の屋上設備機器のけらば側端部とけらば水切との間の隙間を覆う化粧カバーを介して、前記機器上面とけらば水切上面とをほぼフラットに連続させたことを特徴とする太陽電池モジュール等の屋上設備機器を設置した屋根。」と記載されている。また、その明細書には、屋根の外縁部に対して太陽電池モジュールを隙間なくきっちりと配置することは設計上困難であり、とくにけらば部分においては、けらば水切７１と太陽電池モジュール群のけらば側端部との間に生じる隙間によって外観が見苦しくなるといった不具合があったと記載されている。さらに、ダミーモジュールを配置して外観を整えることが行われていると記載されている。
【先行技術文献】
【特許文献】
【０００６】
【特許文献１】特許第４８４０５３９号公報
【特許文献２】特公平７−１１６８１０号公報
【特許文献３】特開平１０−３１７６１９号公報
【発明の概要】
【発明が解決しようとする課題】
【０００７】
図５から図７までに示した屋根材付き太陽光発電パネルは、図１１に示した特開平１０−３１７６１９号公報にて公開されている技術と同様、屋根の外縁部に対して太陽電池モジュールを隙間なく配置するには、あらかじめ建物をそれに合わせた寸法で設計する必要があった。そのため、既築の建物については、太陽電池モジュールを隙間なく配置することは、ほぼ不可能であった。そのため、とくにけらば部分においては、けらばと太陽電池モジュール群のけらば側端部との間に生じる隙間によって外観が見苦しくなるといった不具合があった。
【０００８】
図８から図１０までに示した波形板用外覆材は、上記の図５から図７に示した屋根材付き太陽光発電パネルの課題を解決するための一例といえる。しかし、屋根面の桁行方向の寸法は様々なので、波形板における波形形状の山部及び谷部が、水切片の位置と合わない場合があった。また、波形板用外覆材が桁行方向について一定寸法で製作されてしまうと、図１０のように波板部分が見えてしまい、意匠性が低い印象を与える場合があった。さらに、このような場合を考慮して、波板部分を見えないようにするには、桁行方向について様々な寸法の波形板用外覆材を製作する必要があった。
【０００９】
図１１に示した化粧カバー７０も、上記の図５から図７までに示した屋根材付き太陽光発電パネルの課題を解決するための一例といえる。図１１の技術の場合、図８から図１０までの技術とは異なり、ダミーモジュールを設置することによって、桁行方向について一定寸法でけらば水切及び化粧カバーを製作することができる。しかし、部品点数が多く、取り付けが煩雑であった。また、パネル上面とけらば水切り上面をフラットにすることを目的としているが、雨水の浸入等を考慮する必要性から、フラットに近い仕上がりとするにとどまり、理想とするフラットな状態とすることは実現できていなかった。
【００１０】
本願は、雨水の浸入を防ぎ、かつパネル状建材上面と化粧カバー部の上面とをフラットに連続する意匠性を実現することを目的とする。さらに、施工が容易であり、コストを低く抑えたパネル状建材の端縁化粧構造を提供することを目的とする。
【課題を解決するための手段】
【００１１】
本願の請求項１のパネル状建材の端縁化粧構造は、カバー固定部材とカバー部材とで構成されている。カバー固定部材は、固定部と、複数の当接受け部を有する。カバー部材は、化粧カバー部と、複数の当接部を有する。カバー固定部材とカバー部材とは、所定の当接受け部と当接部とが当接されて組み合わされた第１の状態と、第１の状態とは異なる当接受け部と当接部とが当接されて組み合わされた第２の状態にすることが可能である。
【００１２】
さらに、本願の請求項２のパネル状建材の端縁化粧構造は、上記の特徴に加えて、化粧カバー部に端縁カバー部が形成されている。この場合、パネル状建材の端縁にカバー固定部材とカバー部材とが組み合わされたときに、端縁カバー部がパネル状建材の端縁にかぶせられている構造となる。
【発明の効果】
【００１３】
本願のパネル状建材の端縁化粧構造は、カバー固定部材とカバー部材とにおいて、当接させる当接受け部と当接部との組合せを変えることができる。そのため、第１の状態、第２の状態というように、同じ部材で構成されていながら異なる状態にすることができ、高い意匠性を実現できる。たとえば、パネル状建材の上面と化粧カバー部の上面とを完全にフラットに連続する状態と、パネル状建材の端縁上面をカバー部材で覆う状態という異なる構造が実現できるということである。また、カバー固定部材とカバー部材とで構成されているだけなので、部材点数も少なくて済み、コストを低く抑えることができる。さらに、施工が容易である。
【００１４】
また、端縁カバー部を形成することによって、パネル状建材の端縁上面をカバー部材で覆う状態にして、パネル状建材の端縁を覆い隠すことができる。そうすることによって、意匠性が高く、雨水の浸入を防ぐことも実現できる。
【図面の簡単な説明】
【００１５】
【図１】本願のパネル状建材の端縁化粧構造におけるカバー固定部材の実施例を示す説明図である。
【図２】本願のパネル状建材の端縁化粧構造におけるカバー部材の実施例を示す説明図である。
【図３】本願の第１の状態の実施例を示す説明図である。
【図４】本願の第２の状態の実施例を示す説明図である。
【図５】従来技術の説明図である。
【図６】従来技術の説明図である。
【図７】従来技術の説明図である。
【図８】従来技術の説明図である。
【図９】従来技術の説明図である。
【図１０】従来技術の説明図である。
【図１１】従来技術の説明図である。
【実施例】
【００１６】
本願のパネル状建材の端縁化粧構造について、図１から図４までにより説明する。
【００１７】
図１及び図２は、パネル状建材の端縁化粧構造の一例である。図１はその構造に用いるカバー固定部材の一例であり、図２はカバー部材の一例である。
【００１８】
まず、本願において、パネル状建材とは、図５に示したような太陽光発電パネル、図１１に示した特開平１０−３１７６１９号公報にて公開されている技術におけるダミーモジュールが代表的である。仮に、パネル状建材の屋根上設置を想定した場合、端縁化粧構造とは、たとえばけらばの化粧構造を指す。また、このほか、本願におけるパネル状建材は、壁パネルなども含む。
【００１９】
本願のパネル状建材の端縁化粧構造は、図１に示すようなカバー固定部材Ｂと、図２に示すようなカバー部材Ａとで構成されている。
【００２０】
本願のカバー固定部材Ｂは、固定部Ｂ１と、複数の当接受け部Ｂ２ａ・Ｂ２ｂ・Ｂ２ｃ・Ｂ２ｄを有している。さらに、屋根上設置の場合、図１のように、けらば側にけらば側化粧面Ｂ３を形成してもよい。なお、けらば側化粧面Ｂ３を形成する場合、軒棟方向にのびる長尺の部材となる。ただし、けらば側化粧面Ｂ３を形成しないのであれば、カバー固定部材Ｂは長尺でなくてもよく、短尺の部材として複数箇所に固定し、カバー部材Ａと組み合わせてもよい。
【００２１】
固定部Ｂ１は、カバー固定部材Ｂを建物に固定させるための部分である。固定方法は、固定部Ｂ１に止着具を打ち込んだり、接着剤等を使用して貼着したりと、その方法は問わない。固定部Ｂ１によって、カバー固定部材Ｂが外圧等によって建物から外れない強度で固定されればよい。
【００２２】
当接受け部Ｂ２ａ・Ｂ２ｂ・Ｂ２ｃ・Ｂ２ｄは、これに組み合わされる後述するカバー部材Ａの当接部Ａ２ａ・Ａ２ｂ・Ａ２ｃ・Ａ２ｄ・Ａ２ｅに対応した位置に形成されている。第１の状態と第２の状態とに組み合わせることを実現するために、当接受け部Ｂ２ａ・Ｂ２ｂ・Ｂ２ｃ・Ｂ２ｄというように複数形成されている。このため、カバー固定部材Ｂは、押出成形などで製作することが望ましい。
【００２３】
カバー部材Ａは、化粧カバー部Ａ１と、複数の当接部Ａ２ａ・Ａ２ｂ・Ａ２ｃ・Ａ２ｄ・Ａ２ｅを有している。化粧カバー部Ａ１は、端縁化粧構造において表面となる部分、たとえば上面などである。この化粧カバー部Ａ１によって、パネル状建材の端縁を化粧するので、カバー部材Ａはパネル状建材の端縁に対応した長さの長尺の部材となる。当接部Ａ２ａ・Ａ２ｂ・Ａ２ｃ・Ａ２ｄ・Ａ２ｅは、これらに組み合わされる前述したカバー固定部材Ｂの当接受け部Ｂ２ａ・Ｂ２ｂ・Ｂ２ｃ・Ｂ２ｄに対応した位置に形成されている。第１の状態と第２の状態とに組み合わせることを実現するために、当接部Ａ２ａ・Ａ２ｂ・Ａ２ｃ・Ａ２ｄ・Ａ２ｅというように複数形成されている。このため、カバー部材Ａは、押出成形などで製作することが望ましい。
【００２４】
次に、実施例として、図５から図７までで示した屋根材付き太陽光発電パネルのけらば部分の場合について、図３及び図４により説明する。図３及び図４は、パネル状建材の端縁化粧構造の一例である。図３はその第１の状態の一例であり、図４は第２の状態の一例である。なお、図３及び図４に示す当接部Ａ２ａ・Ａ２ｂ・Ａ２ｃ・Ａ２ｄ・Ａ２ｅと当接受け部Ｂ２ａ・Ｂ２ｂ・Ｂ２ｃ・Ｂ２ｄの形状及びその組合せ等は一例に過ぎず、記載のものに限られるものではない。また、図３及び図４に示すように、けらば用捨板Ｅや、雨水浸入防止のための止水手段Ｆなどを組み合わせて使用してもよい。なお、この止水手段Ｆとは、コーキング材やシーリング材などを指す。本願は、カバー固定部材Ｂ及びカバー部材Ａを必須要件とするが、本願のパネル状建材の端縁化粧構造を用いる建築物の部位において当然使用すべき部材について制限するものではない。
【００２５】
まず、本願のパネル状建材の端縁化粧構造の施工に先立ち、けらば用捨板Ｅを取り付ける。この取り付けについては、屋根工事における一般的なけらば用捨板の取り付けとほぼ同様である。
【００２６】
次に、設置したけらば用捨板Ｅの上に、本願のカバー固定部材Ｂを固定する。図３及び図４では、固定部Ｂ１に止着具を打ち込むことによってカバー固定部材Ｂを固定している。なお、止着具が貫通する穴は、雨水の浸入口となりやすい。そのため、本願のカバー固定部材Ｂに山形となる部分が形成されており、そこの山部に固定部Ｂ１を形成させるのが望ましい。このとき、用いられるけらば用捨板Ｅも同様に山形となる部分が形成される。このようにすることによって、止着具が貫通する穴を、雨水の通りにくい高い位置にすることができ、雨水の浸入を回避させることができる。
【００２７】
以上がカバー固定部材Ｂの取り付け方法であり、図３に示した第１の状態、図４に示した第２の状態、どちらにも共通である。
【００２８】
次に、図３に示した第１の状態、図４に示した第２の状態について説明する。図３に示した第１の状態は、パネル状建材の上面とカバー部材Ａの上面とをフラットに連続する状態である。一方、図４に示した第２の状態は、パネル状建材の端縁の上面をカバー部材Ａで覆う状態である。
【００２９】
まず、図３に示す第１の状態について説明する。この状態の場合、パネル状建材が太陽光発電パネルＣである場合が代表的である。太陽光発電パネルＣの端縁化粧構造の場合、太陽光発電パネルＣの周縁には、図５に示した通り枠体が取り付けられているので、端縁から太陽光発電パネルＣ内部に雨水が浸入する可能性が極めて低い。そのため、太陽光発電パネルＣとカバー部材Ａの目地から野地板の方に浸入する雨水に対して対策を講じるだけでよく、けらば用捨板Ｅを設置すれば十分である。
【００３０】
このように、パネル状建材が太陽光発電パネルＣである場合、図３に示すような第１の状態ではなく、図４に示すような第２の状態としてしまうと、次のような問題がある。
【００３１】
図４に示すような状態の場合、端縁カバー部Ａ３により影ができてしまうので、太陽光発電パネルの発電効率を低下させることが考えられる。したがって、図３に示した第１の状態とすることが望ましい。
【００３２】
次に、図３に示した第１の状態となるカバー部材Ａの取付方法について説明する。
【００３３】
図３に示した第１の状態とするため、カバー部材Ａとカバー固定部材Ｂとにおいて、当接部Ａ１ａは当接受け部Ｂ１ａに、当接部Ａ１ｂは当接受け部Ｂ１ｂに、当接部Ａ１ｃは当接受け部Ｂ１ｃに、当接部Ａ１ｄは当接受け部Ｂ１ｄに当接するように組み合わせる。そして、嵌合部Ａ４ａと嵌合受け部Ｂ４ａ、嵌合部Ａ４ｂと嵌合受け部Ｂ４ｃを嵌合させ、カバー部材Ａとカバー固定部材Ｂとを固定させる。カバー部材Ａとカバー固定部材Ｂとを固定する方法は、このような嵌合に限らず、止着具を用いて固定してもよい。ただし、フラットな仕上がりとすることが望ましいので、止着具を用いずに、図３のように嵌合とするのが望ましい。
【００３４】
以上のように、端縁の上面をカバー部材Ａで覆う状態ではないので、影ができることもなく、太陽光発電パネルの発電効率を低下させることがない。また、太陽光発電パネルＣの上面とカバー部材Ａの上面がフラットな状態となるので、意匠性の高い仕上がりとなる。
【００３５】
次に、図４に示す第２の状態について説明する。この状態の場合、パネル状建材が図９に示した特開平１０−３１７６１９号公報に記載されているようなダミーモジュールＤである場合が代表的である。ダミーモジュールＤは、桁行方向の寸法調整をするのが目的なので、現場で適切な大きさに、切断して使用する。そのため、けらば側の端縁は、切断された端縁であることがほとんどである。
【００３６】
このように、パネル状建材がダミーモジュールＤである場合、図４に示すような第２の状態ではなく、図３に示すような第１の状態としてしまうと、次のような問題がある。
【００３７】
パネル状建材の端縁が切断縁である場合がほとんどであり、そこが雨水によって腐食してしまう恐れがある。さらに、切断縁が表面に出てしまうので、フラットな仕上がりであったとしても、意匠性が低い状態と言わざるを得ない。そのため、フラットな状態とするよりも、端縁の上面をカバー部材Ａで覆った状態とした方が、意匠性が高い状態であると言える。したがって、図４に示した第２の状態とするのが望ましい。
【００３８】
次に、図４に示した第２の状態となるカバー部材Ａの取付方法について説明する。
【００３９】
図４に示した第２の状態とするため、まず、ダミーモジュールＤの切断縁に対して、止水手段Ｆによって防水加工を施す。さらに、カバー部材Ａには、ダミーモジュールＤの端縁の上面にかぶせる端縁カバー部Ａ３を形成しておくとよい。
【００４０】
このとき、カバー部材Ａとカバー固定部材Ｂとにおいて、当接部Ａ１ｅは当接受け部Ｂ１ａに、当接部Ａ１ｄは当接受け部Ｂ１ｂに、当接部Ａ１ｃは当接受け部Ｂ１ｄに当接するように組み合わせる。そして、嵌合部Ａ４ａと嵌合受け部Ｂ４ｃ、嵌合部Ａ４ｂと嵌合受け部Ｂ４ｂを嵌合させ、カバー部材Ａとカバー固定部材Ｂとを固定させる。カバー部材Ａとカバー固定部材Ｂとを固定する方法は、図３と同様、このような嵌合に限らず、止着具を用いて固定してもよい。ただし、よりフラットに近い仕上がりとすることが望ましいので、止着具を用いずに、図４のように嵌合とするのが望ましい。
【００４１】
以上のように、パネル状建材の端縁をカバー部材Ａで覆う状態にすることによって、その端縁が雨水で腐食してしまうことがない。また、切断縁が表面から見えてしまうこともなくなり、意匠性が高い状態となる。
【００４２】
図３に示した第１の状態及び図４に示した第２の状態にするために、カバー固定部材Ｂとカバー部材Ａとは、当接される当接受け部Ｂ２ａ・Ｂ２ｂ・Ｂ２ｃ・Ｂ２ｄと当接部Ａ２ａ・Ａ２ｂ・Ａ２ｃ・Ａ２ｄ・Ａ２ｅとを変える。図３及び図４では、カバー部材Ａの向きを軒棟方向において変えることによって、当接される当接受け部Ｂ２ａ・Ｂ２ｂ・Ｂ２ｃ・Ｂ２ｄと当接部Ａ２ａ・Ａ２ｂ・Ａ２ｃ・Ａ２ｄ・Ａ２ｅとの組合せを変えている。ただし、軒棟方向において向きを変えることは一例であって、そのほか、カバー固定部材Ｂとカバー部材Ａとを長手方向と垂直方向にずらして組み合わせるようにしてもよい。
【００４３】
図３に示した第１の状態及び図４に示した第２の状態では、高さ及び機能が異なる。ただし、これは一例であって、そのほか、幅が異なる等、カバー固定部材Ｂとカバー部材Ａとが複数の異なる状態に組み合わせることができればよい。
【符号の説明】
【００４４】
Ａ      カバー部材
Ａ１    化粧カバー部
Ａ２ａ  当接部Ａ
Ａ２ｂ  当接部Ｂ
Ａ２ｃ  当接部Ｃ
Ａ２ｄ  当接部Ｄ
Ａ２ｅ  当接部Ｅ
Ａ３    端縁カバー部
Ａ４ａ  嵌合部Ａ
Ａ４ｂ  嵌合部Ｂ
Ｂ      カバー固定部材
Ｂ１    固定部
Ｂ２ａ  当接受け部Ａ
Ｂ２ｂ  当接受け部Ｂ
Ｂ２ｃ  当接受け部Ｃ
Ｂ２ｄ  当接受け部Ｄ
Ｂ３    けらば側化粧面
Ｂ４ａ  嵌合受け部Ａ
Ｂ４ｂ  嵌合受け部Ｂ
Ｂ４ｃ  嵌合受け部Ｃ
Ｃ      太陽光発電パネル
Ｄ      ダミーモジュール
Ｅ      けらば用捨板
Ｆ      止水手段
【図１】
2013199788.tif 000003
【図２】
2013199788.tif 000004
【図３】
2013199788.tif 000005
【図４】
2013199788.tif 000006
【図５】
2013199788.tif 000007
【図６】
2013199788.tif 000008
【図７】
2013199788.tif 000009
【図８】
2013199788.tif 000010
【図９】
2013199788.tif 000011
【図１０】
2013199788.tif 000012
【図１１】
2013199788.tif 000013